(57)【要約】【課題】本考案は、カバー体をはずしやすくするための補助体を提供する。【解決手段】本考案によるカバー体をはずしやすくするための補助体は、複数の板体からなる。板体の間は可動に連結され、板体内側の表面は、被カバー体（例えば人の手）を貫設するための開口部を形成し、板体外側表面は、カバー体（例えば手袋）の内表部と貼り合わせられる支持部を形成する。使用する時は、カバー体をはずしやすくするための補助体はカバー体内に設けられ、被カバー体を貫通させる。それにより、カバー体の一部は被カバー体の外表面と接触せず、カバー体及び前記カバー体をはずしやすくするための補助体に対して同時に手で力を入れて引っ張ると、カバー体を被カバー体から簡単に素早く外すことができる。【選択図】図１
0003176187.tif 000002
【実用新案登録請求の範囲】
【請求項１】
複数の板体からなるカバー体をはずしやすくするための補助体であって、
板体の間は可動に連結され、板体内側の表面は、被カバー体を貫設するための開口部を形成し、板体外側表面は、カバー体の内表部と貼り合わせられる支持部を形成し、カバー体をはずしやすくするための補助体はカバー体内に設けられ、それにより、カバー体の一部は被カバー体と接触せず、カバー体及び前記カバー体をはずしやすくするための補助体に対して同時に手で力を入れて引っ張ると、カバー体を被カバー体から外すことができることを特徴とする、カバー体をはずしやすくするための補助体。
【請求項２】
前記板体の間は、連結部材によって可動に連結されることを特徴とする、請求項１に記載のカバー体をはずしやすくするための補助体。
【請求項３】
前記板体の端部には、裂け目部が設けられ、それにより、板体はカバー体の開口に完全には嵌め込まれずに、カバー体の開口の縁辺部が裂け目部内に入り込み、それにより、滑って外れてしまうのを防ぐことができる効果が生じることを特徴とする、請求項１に記載のカバー体をはずしやすくするための補助体。
【考案の詳細な説明】
【技術分野】
【０００１】
本考案はカバー体をはずしやすくするための補助体に関し、特に使用者がカバー体から被カバー体を素早く簡単に外すことができる補助体に関する。
【背景技術】
【０００２】
我々は、洗い物をしたり、清掃を行ったりする時に、通常、防水手袋をはめることで、両手を水や汚れから保護する。また、手袋は、一般的に、ラテックス等の水をとおさない高分子ポリマー材質から作られる。この従来の手袋は、少なくとも、以下のような欠点がある。
【０００３】
１、使用者が手袋をはめた時、手袋内の表面は滑らかな表面であるため、皮膚と面の接触となり、真空吸着作用が生じて、ぴったりとくっつきすぎることがあるため、使用者が不快を感じることがあり、また、手の汗が手袋内にたまりやすく、それにより、手袋が使用者の手の皮膚にさらにくっつき、熱気の流通と発散を阻害し、使用者の手が湿ったり、熱くなったり、べとべたりして不快感が生じたりする。また、手袋がくっついてしまうと、手袋をはずしにくくなる。
【０００４】
２、手袋は、通常、単一のサイズであり、手のひらが大きな使用者からすると、はめたばかりの時に既にきつく、手の汗や水に触れたりすると、さらにきつくなるため、より一層はずしにくくなり、手袋をはめたときのようにスムーズにははずすことができない。
【考案の概要】
【考案が解決しようとする課題】
【０００５】
従って、使用者の手を手袋から如何に簡単に素早く外せるようにするかが、日常生活の一大課題である。そこで、本考案は、カバー体をはずしやすくするための補助体を提供することを目的とする。
【課題を解決するための手段】
【０００６】
上述の目的を達成するために、本考案によるカバー体をはずしやすくするための補助体は、複数の板体からなる。板体の間は可動に連結され、板体内側の表面は、被カバー体を貫設するための開口部を形成し、板体外側表面は、カバー体の内表部と貼り合わせられる支持部を形成する。カバー体をはずしやすくするための補助体はカバー体内に設けられ、それにより、カバー体の一部は被カバー体と接触せず、カバー体及び前記カバー体をはずしやすくするための補助体に対して同時に手で力を入れて引っ張ると、カバー体を被カバー体から外すことができる。
【図面の簡単な説明】
【０００７】
【図１】本考案の分解斜視図である。
【図２】本考案の断面図である。
【図３】本考案と手袋の分解斜視図である。
【図４】本考案と手袋を結合させた状態を示した斜視図である。
【図５】本考案に手を入れた使用例を示した斜視図及び断面拡大図である。
【図６】本考案に手を当接させた使用例を示した斜視図及び断面拡大図である。
【図７】手袋の両側に力を入れて本考案を変形させ、本考案により、手を手袋から素早く外す使用例を示した斜視図１及び断面拡大図である。
【図８】本考案により、手を手袋から素早く外す使用例を示した斜視図２及び断面拡大図である。
【図９】手袋が本考案内に巻きついた状態を示した上面図である。
【図１０】手袋を本考案内から引っ張り出した、或いは、振って引き出した状態を示した上面図である。
【図１１】本考案の実施例２の分解斜視図である。
【図１２】本考案の実施例２と手袋を結合させた状態を示した斜視図である。
【図１３】本考案の実施例３の分解斜視図である。
【図１４】本考案の実施例３を上下の方向に力をいれて重なった扁平状を形成させた断面図である。
【図１５】本考案の実施例３と手袋の分解斜視図である。
【図１６】本考案の実施例３を手袋に取り付け、各板体の間に貫通口を形成させて人の手を通過させた使用例を示した断面図である。
【考案を実施するための形態】
【０００８】
（実施例１）
図１と図２に示すように、本考案の実施例１によるカバー体をはずしやすくするための補助体は、弾性を備えた二枚の板体１０と、二つの連結部材２０とからなる。板体１０の両端部は、連結部材２０によって可動に連結され、それにより、本考案をカバー体内に取り付けることができる。また、二枚の板体１０向かい合う面は、開いたり閉じたりする貫通口を形成させることができ、被カバー体を貫通させることができる。それにより、カバー体の一部が被カバー体に接触せず、使用者は、カバー体から被カバー体を素早く簡単に外すことができるようになる。以下に詳細な説明を行う。
【０００９】
板体１０は、弾性材料からなり、所定の弾性変形力を備える。板体１０は、上下に重ねられて平ら状を形成しており、板体１０内側の表面（即ち、向かい合う面）は開口部１１を形成し、板体１０外側の表面は支持部１２を形成する。
【００１０】
連結部材２０は、例えばテープのような、弾性があってたわませることができる薄膜片である。
【００１１】
板体１０の両端部の上下板面には、粘着物を塗って粘着性をもたせるか、或いは、連結部材２０の表面に粘着性をもたせる。それにより、板体１０の両端部と連結部材２０の間を、連結部材２０によって接着することができ、板体１０の間を可動に連結させることができる。
【００１２】
図３と図４に示すように、本明細書内では、本考案のカバー体をはずしやすくするための補助体１で従来の手袋３０（カバー体）を補助する例を実施例としているが、本考案のカバー体をはずしやすくするための補助体１は、靴下、コンドーム等のその他のカバー体にも適用することができ、いずれも、本考案の実用新案登録請求の範囲内に含まれるものとする。図においては、本考案カバー体をはずしやすくするための補助体１は、手袋３０の開口内に設けられ、使用者が手袋３０を手（被カバー体）から外すのを補助することができる。
【００１３】
本実施例の手袋３０は、ラテックス手袋であり、その開口は収縮弾性を備え、また、カバー体をはずしやすくするための補助体１の縦方向の外径は、手袋３０開口内径よりわずかに大きい。従って、使用者が、手袋３０の収縮弾力作用を利用して、カバー体をはずしやすくするための補助体１を簡単に手袋３０開口内に嵌め込むことができ、それにより、支持部１２と手袋３０開口の内表部は、ぴったりと貼りつき固定された状態になる。また、支持部１２と手袋３０開口の内表部は、接着剤による接着、或いは、溶融圧接、或いは、その他の結合加工技術により結合され、それにより、カバー体をはずしやすくするための補助体１、手袋２０はしっかり結合される。
【００１４】
また、本考案では、板体１０は上下に重ねられた平ら状であるため、占めるスペースを減らすことができ、しまっておくのに便利である。
【００１５】
図５に示すように、使用者は、手袋３０とカバー体をはずしやすくするための補助体１を貼り合わせた箇所の左右両側（即ち、板体１０の両端間の可動に連結する箇所）に対して手で力を入れると、板体１０が、両端の連結箇所を基準として、相互に外側に向かって弧形に開いた形状を形成し、それにより、各開口部１１が共同で円形管に似た形状の貫通口を形成する。貫通口は人体の手の拳状より大きいため、人の手を拳状に握り、開口部１１に通して、手袋３０内に嵌めると、手袋３０を簡単に手にはめることができる。
【００１６】
図６に示すように、使用者が手袋３０とカバー体をはずしやすくするための補助体１を貼り合わせた箇所の左右両側に手で力をいれるのをやめると、板体１０は、弾力作用により、内側へと元の位置に戻り人の手の表面に接触する。この時、カバー体をはずしやすくするための補助体１と人の掌部は相互に当接し、それにより、カバー体をはずしやすくするための補助体１は人の腕の手首のところに固定され、人の手のひらまで滑ることがなくなり、手を手袋３０にはめたときに邪魔にならない。
【００１７】
図７と図８に示すように、使用者が手袋３０を脱ぎたくなった時は、手袋３０とカバー体をはずしやすくするための補助体１を貼り合わせた箇所の左右両側に対して手で力を入れると、開口部１１が再び円形管に似た形状の貫通口を形成する。カバー体をはずしやすくするための補助体１は、手袋３０の一部分と手の外表面に隙間を開けさせるため、この時、手袋３０及びカバー体をはずしやすくするための補助体１を手で握って引っ張る力を加えると、手袋３０から手を素早く簡単に外すことができる。
【００１８】
図７に示すように、人の手が開口部１１を通過する時は拳状になる。
【００１９】
図９、図１０に示すように、使用者が本考案を手から外した後、手袋３０は、材料の弾性収縮作用及び脱ぐ動作により、一部がカバー体をはずしやすくするための補助体１内に巻きつくことがあるが、手で直接、手袋３０を引っ張りだすこともできるし、或いは、手袋３０とカバー体をはずしやすくするための補助体１を貼り合わせた箇所を手で握って振ることで手袋３０を引き出すこともできる。
【００２０】
（実施例２）                          
図１１に示すように、本考案の実施例２によるカバー体をはずしやすくするための補助体１は、板体１０の両端部に、二つの三角状裂け目部１３が設けられ、連結部材２０には、裂け目部１３に対応する開孔２１が設けられ、それにより、裂け目部１３を露出させることができる。以上の構造により、図１２に示すように、カバー体をはずしやすくするための補助体１を手袋３０の開口内に取り付けた時、板体１０は完全には差し込まれず、さらに、手袋３０は収縮弾性を備えているため、手袋３０開口の縁辺は、裂け目部１３内に自動的に入り込み、それにより、カバー体をはずしやすくするための補助体１が滑って外れるのを防ぐことができ、しいては、カバー体をはずしやすくするための補助体１と手袋２０をしっかり結合することができる。
【００２１】
（実施例３）
図１３と図１４に示すように、本考案の実施例３によるカバー体をはずしやすくするための補助体１は、四枚の弾性を備えた板体１０を四つの連結部材２０で連結してなり、しかも、板体１０の間は可動に連結される。カバー体をはずしやすくするための補助体１に対して上下の方向に力を入れた時、板体１０は、二つ一組が上下に重なる扁平状を形成するため、占める空間を減らすことができ、しまっておくのに便利である。以上の構造により、図１５に示すように、使用者が本考案カバー体をはずしやすくするための補助体１に対して力を入れ、板体１０を重ねて扁平状にし、さらに、手袋３０の収縮弾力作用を利用すると、実施例３のカバー体をはずしやすくするための補助体１を手袋３０開口内に簡単に取り付けることができ、且つ、支持部１２と手袋３０開口の内表部がぴったりと貼りつき固定される。
【００２２】
図１６に示すように、本考案の実施例３によるカバー体をはずしやすくするための補助体１を手袋３０の開口に取り付けた後、二つの板体１０に対して手で内側に力を入れると、その二つの板体１０は垂直状になって向かい合い、別の二つの板体１０の上下側は、両端の連結箇所を基準として、互いに外側に向かって弧形に開いた形状を形成し、それにより、各板体１０の間は所定の大きさの貫通口を形成する。以上により、人の手を、カバー体をはずしやすくするための補助体１に、素早く簡単に通すことができ、しいては、手袋３０を手にはめやすくなり、また、手を手袋３０から外しやすくなる。
【符号の説明】
【００２３】
１      カバー体をはずしやすくするための補助体  
１０    板体                      
１１    開口部          
１２    支持部                  
１３    裂け目部
２０    連結部材                  
２１    開孔
３０    手袋
【図１】
0003176187.tif 000003
【図２】
0003176187.tif 000004
【図３】
0003176187.tif 000005
【図４】
0003176187.tif 000006
【図５】
0003176187.tif 000007
【図６】
0003176187.tif 000008
【図７】
0003176187.tif 000009
【図８】
0003176187.tif 000010
【図９】
0003176187.tif 000011
【図１０】
0003176187.tif 000012
【図１１】
0003176187.tif 000013
【図１２】
0003176187.tif 000014
【図１３】
0003176187.tif 000015
【図１４】
0003176187.tif 000016
【図１５】
0003176187.tif 000017
【図１６】
0003176187.tif 000018